(57)【要約】【課題】安価で、壊れにくく、扱いやすいキーボックスを実現する。【解決手段】アルミやジュラルミン等の金属によって形成された運搬用金属製容器をキーボックスとして用い、その中に、ファイルボックス状の鍵保管ユニットを複数個着脱可能な状態で収納し、各鍵保管ユニットに、複数の鍵を保持する鍵吊り下げボードを内蔵した。鍵吊り下げボードには、取っ手を備え、その取っ手を持って保管ユニットに、上方から抜き差しする構造とした。また、金属製容器には、遠隔操作により警報を発するアラームユニットを収納し、非常時に警報を発することができるようにした。【選択図】図１
0003107417.tif 000002
【実用新案登録請求の範囲】
【請求項１】
運搬用金属製容器内に、遠隔操作により警報を発するアラームユニット１０と、複数の鍵を保持する鍵吊り下げボード２１を内蔵した鍵保管ユニット２０を、複数個収納したキーボックスであって、前記鍵吊り下げボード２１の上部には取っ手２２を設け、鍵吊り下げボード２１は、前記取っ手２２を持って前記鍵保管ユニット２０に、上方から抜き差しする構造とし、前記複数の鍵保管ユニット２０は、前記運搬用金属製ボックス内に、着脱可能な状態で収納されていることを特徴とするキーボックス。
【考案の詳細な説明】
【技術分野】
【０００１】
本考案は、多数の鍵を整理収納し持ち運ぶ、キーボックスに関するものである。
【背景技術】
【０００２】
多くの建物の管理を請け負った警備会社などの巡回担当者は、受持のすべての巡回対象建物の鍵を持ち歩き、必要に応じ、状況確認をおこなう建物の扉を、管理依頼元から預かった鍵を用いて開け、その内部に立ち入ることになる。建物１棟に対して、施錠された出入り口は、１箇所だけとは限らず、複数ある場合もある。このため、巡回担当者は、各出入り口に対応した鍵をすべて持ち歩くことになり、その量は膨大なものとなる。従来、このような鍵は、ブック型に構成された、鍵を保持するボードに整理して収納し、このブック型の鍵収納容器を、複数個持ち歩くようにしている。ブック型の鍵吊り下げタイプの他に、弾性を持った孔部に鍵を挟み込む方式のものも考え出されている（例えば、特許文献１参照。）。
【特許文献１】特開２００４−８４２３２号公報
【考案の開示】
【考案が解決しようとする課題】
【０００３】
従来の、ブック型に構成された鍵収納容器では、一枚のボードにたくさんの鍵が吊り下げられ、かなり重くなり、ボードを支持する蝶番に大きな負担がかかることになる。巡回中には、必要となった鍵を、頁をめくるようにして探し出し、ボードから取り外し、その鍵を使用して扉の錠を開錠し、使用後元の鍵吊り下げフックに戻すという一連の作業が頻繁に繰り返される。このため、蝶番が短期間のうちに壊れてしまう。壊れにくい頑丈なものにしようとすると、特別注文品となり、コスト高になってしまう。また、頑丈にするとその分重量が増し、持ち運びに支障をきたすことになる。弾性を持った孔部に鍵を挟み込む方式のものは、鍵やキーボックス内部の破損は防げるが、あまりたくさんの鍵を持ち運ぶことができない。
【課題を解決するための手段】
【０００４】
本考案では、アルミやジュラルミン等の金属によって形成された運搬用金属製容器をキーボックスとして用い、その中に、ファイルボックス状の鍵保管ユニットを複数個着脱可能な状態で収納し、各鍵保管ユニットに、複数の鍵を保持する鍵吊り下げボードを内蔵した。鍵吊り下げボードには、取っ手を備え、その取っ手を持って保管ユニットに、上方から抜き差しする構造とした。また、金属製容器には、遠隔操作により警報を発するアラームユニットを収納し、非常時に警報を発することができるようにした。
【考案の効果】
【０００５】
鍵吊り下げボードを、鍵保管ユニットに対し、上方から抜き差しする構造としたので、必要となった鍵の探し出しが、容易となり、ボードからの取り外しが短時間のうちにおこなわれる。鍵吊り下げボードと、鍵保管ユニットとの間には、結合部分がない構造としたので、ボードを支持する特定の部分に大きな負担がかかるといったことがなくなり、壊れにくくなる。鍵保管ユニットごとに、巡回対象建物群の鍵をまとめて収納でき、しかも複数の鍵保管ユニットを収納できるので、巡回ルートに合わせて、整理した状態で、大量の鍵を持ち運ぶことができる。鍵保管ユニットや鍵吊り下げボードの入れ替えが容易であり、巡回ルートが変更されても、すぐに、必要な鍵のセットの再編成が可能である。特別注文品のボックスでなくても、市販のアルミトランクやジュラルミンケースを使用することができ、コストがあまりかからない。アラームユニットを収納しているので、鍵やボックスの強奪が発生した際に、発煙、サイレン音等の警報を発生させ、周囲に異常を知らせることができる。
【考案を実施するための最良の形態】
【０００６】
図１は、本考案のキーボックスの外観を示した図である。ジュラルミンケース１に、アラームユニット１０と、５個の鍵保管ユニット２０が収納されている。鍵保管ユニット２０からは、鍵吊り下げボード２１の上部の取っ手２２が露出している。ジュラルミンケース１は、蓋１１を備えており、持ち運ぶ際には施錠される。アラームユニット１０は、キーボックスを持ち運ぶ人の遠隔操作により警報を発する。例えば、キーボックスを持ち運ぶ人が所持する押しボタン送信機が押されたときに、電波信号に乗せられて異常事態発生の信号が発信され、アラームユニット１０内の電波信号受信部によって受信される。この異常事態発生の信号の受信により、アラームユニット１０に内蔵されたサイレンが鳴動し、周囲に異常を知らせる。サイレンが鳴動する代わりに、発煙手段を内蔵させておき、煙を周囲に発散させるようにしてもよい。アラームユニット１０は、内蔵したバッテリーから供給される電力によって作動する。
【０００７】
図２は、鍵保管ユニット２０の構成を示す図である。鍵保管ユニット２０の上部は開放され、上方から鍵吊り下げボード２１が抜き差し可能な構造となっている。鍵吊り下げボード２１には、複数の鍵を保持するフックが設けられており、各フックの周辺には、整理番号あるいは建物の名称等が表示されている。キーボックスを持ち運ぶ人が、必要に応じ、対応する鍵保管ユニット２０から鍵吊り下げボード２１を引き出し、鍵をフックから外して取り出す。鍵の使用が終わった後に、その鍵を元の鍵吊り下げボード２１のフックにかけ、鍵吊り下げボード２１を鍵保管ユニット２０に収納する。
【０００８】
鍵保管ユニット２０は、キーボックス１内に、着脱可能な状態で収納されている。鍵保管ユニット２０ごと、キーボックス１に上から収納され、５個の鍵保管ユニット２０で丁度いっぱいになるようにしてある。各鍵保管ユニットの間に、仕切を設けておくと、５個すべての鍵保管ユニットを収納しなくても、ユニットが中で散乱することなくきちんと収まるようになる。鍵保管ユニット２０の表面には、整理番号あるいは建物の名称、巡回区域の名称等を表示する部分が設けられている。建物の管理を請け負った警備会社などの巡回担当者が、このキーボックスを使用する場合、巡回するルートに合わせて、使用する鍵のセットを作っておくことになる。巡回ルート内で、管理を請け負った建物の変更があると、その建物に該当する鍵保管ユニット２０あるいは鍵吊り下げボード２１を入れ替えることになるが、本考案のキーボックスは、鍵の出し入れが容易な構造であるので、その入れ替え作業は短時間で終了する。取り出した鍵保管ユニット２０には、必要な表示がなされているので、整理して保管しておく上で好都合である。
【図面の簡単な説明】
【０００９】
【図１】本考案のキーボックスの外観を示した図である。
【図２】鍵保管ユニット２０の構成を示す図である。
【符号の説明】
【００１０】
１・・・ジュラルミンケース
１０・・・アラームユニット
１１・・・蓋
２０・・・鍵保管ユニット
２１・・・鍵吊り下げボード
２２・・・取っ手
【図１】
0003107417.tif 000003
【図２】
0003107417.tif 000004